(57)【要約】【課題】横葺屋根のハゼ部に挟着して固定される太陽電池パネル取付架台の支持金具を提供する。【解決手段】横葺屋根Ｒのハゼ部R1の下側に先端側が差し込み可能な基底部４と、該基底部４の上方に対向配置した上面が平坦な架台載置部６と、該架台載置部６に上下方向に貫通形成した螺子孔７と、該螺子孔７に昇降自在に貫通螺挿した螺子棒10と、該螺子棒10の下端に空転自在に取付けた前記ハゼ部R1の上面を押圧可能な押さえ部11とから構成する。【選択図】図７
2018091009.tif 000002
【特許請求の範囲】
【請求項１】
横葺屋根のハゼ部の下側に先端側が差し込み可能な基底部と、該基底部の上方に対向配置した上面が平坦な架台載置部と、該架台載置部に上下方向に貫通形成した螺子孔と、該螺子孔に昇降自在に貫通螺挿した螺子棒と、該螺子棒の下端に空転自在に取付けた前記ハゼ部の上面を押圧可能な押さえ部とから成ることを特徴とする太陽電池パネル取付架台の支持金具。
【請求項２】
押さえ部は、両端に開設された開口部から上記螺子棒の下端に設けた頭部を挿入可能な断面略Ｃ形のリップ溝部を設けて成り、該リップ溝部の一対のリップ片間に形成されるスリットは上記頭部より幅小に設定され、前記スリットと各開口部を閉塞すると共に、螺子棒を挿通するコ字板のカバーで被冠したことを特徴とする請求項１記載の太陽電池パネル取付架台の支持金具。
【請求項３】
押さえ部のリップ溝部は、その内底を球欠状に形成した頭部を遊嵌する断面円弧状に形成したことを特徴とする請求項２記載の太陽電池パネル取付架台の支持金具。
【発明の詳細な説明】
【技術分野】
【０００１】
本発明は、横葺屋根の上に太陽電池パネルを取付ける架台を設置するための太陽電池パネル取付架台の支持金具に関する。
【背景技術】
【０００２】
特許文献１には、横葺屋根のハゼ部の上下を挟み込むクランプ式の支持金具が開示されている。
【０００３】
この支持金具は、上記ハゼ部の下側に差し込まれる爪片を底部に突設し、上端面を第一架台載置面と成すと共に、該第一架台載置面より所定高さ下方に、抜け落ちが阻止されたボルトの螺子部が上方貫通突出された段部を隣接配置した主台座と、前記ハゼ部の上面を押さえ込む鉤爪片を垂設し、前記段部に載置可能にして、前記螺子部を貫通すると共に、該螺子部に螺着するナットの挿入孔を、第二架台載置面と成した上面の中央に開設した角パイプ状の従台座とから構成されている。
【０００４】
そして、ハゼ部を主台座の爪片と従台座の鉤爪片間に配置し、ナットを従台座の中空部内に配置させるまで締め付けることにより、主台座と従台座の爪片と鉤爪片でハゼ部を強固に挟み込むと共に、第一、第二架台載置面を同一平面上に一致させて、そこに太陽電池パネルが取付けられる架台を載置しており、この支持金具では、爪片と鉤爪片とでハゼ部を挟持して横葺屋根に固定するため、該屋根に穴を開けることがないから、雨漏りの発生する恐れがなかった。
【先行技術文献】
【特許文献】
【０００５】
【特許文献１】特開２０１６−４４４５５号公報
【発明の概要】
【発明が解決しようとする課題】
【０００６】
しかしながら、上記構成の支持金具は、架台の載置面が第一架台載置面と第二架台載置面に二分割されており、屋根への固定の際に、ナットを締め付けても、必ずしも第一架台載置面に、第二架台載置面が合致して、両架台載置面を同一平面上に配置できるとは限らず、再度ナットを締め直したり、ハゼ部に対する支持金具の取付け位置を変更したりするなどの手間を有し、作業効率が悪いといった課題を有していた。
【課題を解決するための手段】
【０００７】
上記課題に鑑み、本発明の太陽電池パネル取付架台の支持金具は、横葺屋根のハゼ部の下側に先端側が差し込み可能な基底部と、該基底部の上方に対向配置した上面が平坦な架台載置部と、該架台載置部に上下方向に貫通形成した螺子孔と、該螺子孔に昇降自在に貫通螺挿した螺子棒と、該螺子棒の下端に空転自在に取付けた前記ハゼ部の上面を押圧可能な押さえ部とから成ることを特徴とする。
又、押さえ部は、両端に開設された開口部から上記螺子棒の下端に設けた頭部を挿入可能な断面略Ｃ形のリップ溝部を設けて成り、該リップ溝部の一対のリップ片間に形成されるスリットは上記頭部より幅小に設定され、前記スリットと各開口部を閉塞すると共に、螺子棒を挿通するコ字板状のカバーで被冠したことを特徴とする。
そして、押さえ部のリップ溝部は、その内底を球欠状に形成した頭部を遊嵌する断面円弧状に形成したことを特徴とする。
【発明の効果】
【０００８】
要するに本発明は、横葺屋根のハゼ部の下側に先端側が差し込み可能な基底部と、該基底部の上方に対向配置した上面が平坦な架台載置部と、該架台載置部に上下方向に貫通形成した螺子孔と、該螺子孔に昇降自在に貫通螺挿した螺子棒と、該螺子棒の下端に空転自在に取付けた前記ハゼ部の上面を押圧可能な押さえ部とから成るので、基底部を横葺屋根のハゼ部の下側に差し込み、螺子棒を下方へ螺進させることにより、押さえ部を降下させるだけで、該押さえ部で基底部上のハゼ部上面を押圧し、基底部と押さえ部間にハゼ部を簡単にして強固に挟持できる。
しかも、架台を載置可能な架台載置部の上面は常に一様な平坦面を成しているから、架台を安定的に載置でき、従来の様なボルトの締め直しや支持金具の取付け位置を変更する手間が一切なく、従来品に比しその取付け作業を効率的に行える。
【０００９】
押さえ部は、両端に開設された開口部から上記螺子棒の下端に設けた頭部を挿入可能な断面略Ｃ形のリップ溝部を設けて成るから螺子棒に簡単に連結でき、又リップ溝部の一対のリップ片間に形成されるスリットは上記頭部より幅小に設定されるので、頭部はスリットを通してリップ溝部内に抜止め保持されると共に、押さえ部は、前記スリットと各開口部を閉塞すると共に、螺子棒を挿通するコ字板状のカバーで被冠したので、螺子棒に対してズレ動いたり、螺子棒から抜け落ちることがなく、屋根上での作業中の部品落下による危険を回避でき安全に作業できる。
【００１０】
押さえ部のリップ溝部は、その内底を球欠状に形成した頭部を遊嵌する断面円弧状に形成したので、押さえ部はハゼ部上面の傾斜に対応可能に自在に傾倒させられると共に、押さえ部が螺子棒の下端に空転自在に取付けられて変向可能なことも相俟って、常に面でハゼ部上面を押さえ付けられ、基底部との挟持状態を確実にして安定的に保持できる等その実用的効果甚だ大である。
【図面の簡単な説明】
【００１１】
【図１】支持金具の斜視図である。
【図２】支持金具の分解斜視図である。
【図３】支持金具の側面図である。
【図４】支持金具設置前の横葺屋根の断面図である。
【図５】基底部をハゼ部の下側に差し込んだ状態を示す横葺屋根の断面図である。
【図６】支持金具設置後の横葺屋根の断面図である。
【図７】架台を設置した横葺屋根の断面図である。
【図８】設置前の架台と支持金具設置後の横葺屋根の斜視図である。
【発明を実施するための形態】
【００１２】
以下本発明の実施の一形態例を図面に基づいて説明する。
本発明に係る太陽電池パネル取付け架台の支持金具１は、横葺屋根Ｒ（以下、屋根Ｒと称する。）の継ぎ目に設けたハゼ部R1に挟着して成るものにして台座２と、該台座２から昇降自在に設けた可動体３とから主に構成される。
【００１３】
台座２は各部の奥行き（屋根Ｒ設置状態で桁行方向Ｘに対応）Ｄを同長と成した押し出し鍛造品から成り、屋根Ｒのハゼ部R1の下側に先端側（図において右側）が差し込み可能な平面視矩形状の基底部４を設け、該基底部４の後方（図において左方）寄り部位から下端側が直立し途中で前傾した支柱５を設け、該支柱５の前傾端部に上面が平坦な平面視矩形状の架台載置部６を前方へ突設し、該架台載置部６を基底部４の上方に対向配置している。
【００１４】
架台載置部６は、その中央に螺子孔７を上下方向に貫通形成しており、該螺子孔７は、架台載置部６の中央に設けた螺子棒挿通孔6aと、該螺子棒挿通孔6aに連通するナット８の雌ねじ部8aとから成り、ナット８は架台載置部６の下部に設けた断面略Ｃ形のリップ溝９内に配置される。
【００１５】
ナット８はリップ溝９の奥行きＤ方向の両端に開設された開口部9aの一方からスライド挿入され、その雌ねじ部8aを螺子棒挿通孔6aに連通する様にリップ溝９内に配置される。
リップ溝９は、架台載置部６の下方に前後に対向配置される一対のリップ片9b間に形成されるスリット9cの幅を後述する螺子棒10の外径より若干広く設定している。
【００１６】
可動体３は、螺子孔７に昇降自在に貫通螺挿する螺子棒10と、該螺子棒10の下端に空転自在に取付けたハゼ部R1の上面を押圧可能な押さえ部11とから構成されている。
【００１７】
螺子棒10は、その頭部10ａを球欠状に形成した丸頭ボルトの螺子部であって、その先端面（図において上端面）には、螺子棒10を回転させるために工具の先端に設けたネジ回しや棒スパナを差し込む図示例のすりわり、又は図示しない十字穴や六角穴などの凹部10ｂを刻設している。
【００１８】
押さえ部11は、台座２と同様に、各部の奥行きＤを同長と成した押し出し鍛造品から成り、ハゼ部R1上面を圧接する様に底部が平坦に形成された圧接面部12を設けると共に、該圧接面部12上に奥行きＤ方向の両端に開設された開口部13ａの一方から螺子棒10の下端に設けた頭部10ａをスライド挿入可能な断面略Ｃ形のリップ溝部13を設けている。
【００１９】
又、リップ溝部13は、その内底を頭部10ａを遊嵌する断面円弧状に形成され、上部には一条のスリット13ｂを介して一対のリップ片13ｃを対向配置しており、スリット13ｂの幅は頭部10ａの外径より幅小で螺子棒10の外径より若干幅広に設定される。
【００２０】
これにより、頭部10ａはスリット13ｂを通してリップ溝部13内に抜止め保持され、押さえ部11は螺子棒10に対し空転自在に取付けられ、頭部10ａを中心に回転及び上下に屈曲自在と成している。
【００２１】
又、押さえ部11には、螺子棒10との分離防止用のコ字板のカバー14を被冠している。
このカバー14は、薄肉帯状鋼板をコ字状に屈曲形成したものであり、その各面でスリット13ｂと各開口部13ａを閉塞すると共に、スリット閉塞面部14ａの中央に螺子棒10を挿通する透孔15を穿設している。
尚、カバー14は、図１、２、８以外では説明の都合上、二点鎖線で示している。
【００２２】
上記の様に構成された支持金具１にあっては、図４に示す様に、屋根Ｒ上で基底部４の先端をハゼ部R1に指向させ、基底部４の先端側をハゼ部R1下側に差し込む（図５参照）。
【００２３】
次いで、工具を用いて螺子棒10を回して押さえ部11を降下させ、その底部の圧接面部12でハゼ部R1上面を押圧する（図６参照）。
【００２４】
押さえ部11は螺子棒10に対し自在に屈曲するため、圧接面部12はハゼ部R1の傾斜に対応する様に面接触してハゼ部R1上面を圧接でき、支持金具１はハゼ部R1を上下の基底部４と押さえ部11で強固に挟持して屋根Ｒに固定でき、この様にして支持金具１は屋根Ｒ上の縦横に適宜間隔を以て点在される。
【００２５】
図７、８に示す様に、太陽電池パネル取付架台を構成する縦杆材16は、架台載置部６上に底部16ａが載置される凹溝状に形成され、その長手方向（流れ方向Ｙに同じ）に長い底部16ａの軸線上には所定間隔置きに架台載置部６より上方突出する螺子棒10を挿通する長穴16ｂを設けている。
【００２６】
そして、縦杆材16を屋根Ｒの流れ方向Ｙに並ぶ架台載置部６の各列群上に配置する。
即ち、縦杆材16の底部16ａを架台載置部６上に載置すると共に、該架台載置部６上より上方突出した螺子棒10を底部16ａの長穴16ｂに挿通し、該長穴16ｂより上方突出した螺子棒10にワッシャ17とバネ座金18を挿通してナット19を螺着する。
【００２７】
この様に、屋根Ｒ上に固定した支持金具１を介して複数の縦杆材16を屋根Ｒの桁行方向Ｘで平行に配置することにより図示しない太陽電池パネルを設置する架台（縦杆材16）が構成される。
【符号の説明】
【００２８】
４    基底部
６    架台載置部
７    螺子孔
10    螺子棒
10ａ  頭部
11    押さえ部
13    リップ溝部
13ａ  開口部
13ｂ  スリット
13ｃ  リップ片
14    カバー
Ｒ    横葺屋根
R1    ハゼ部
【図１】
2018091009.tif 000003
【図２】
2018091009.tif 000004
【図３】
2018091009.tif 000005
【図４】
2018091009.tif 000006
【図５】
2018091009.tif 000007
【図６】
2018091009.tif 000008
【図７】
2018091009.tif 000009
【図８】
2018091009.tif 000010